(57)【特許請求の範囲】
【請求項１】
回動軸の回りに回動可能に設けられて開口部を開閉する扉を有し、把手付き容器を収納する容器収納ケースにおいて、
前記扉の回動軸の近傍に、当該扉が閉鎖されているときに容器収納ケースの内側に突出し、当該扉が開放されているときに容器収納ケースの開口部を閉じる内扉を延設し、
前記扉に前記容器の把手が外側に突出する切欠きを設けたことを特徴とする容器収納ケース。
【請求項２】
前記内扉が棒状であることを特徴とする請求項１に記載の容器収納ケース。
【請求項３】
前記内扉が板状であることを特徴とする請求項１に記載の容器収納ケース。
【請求項４】
前記容器収納ケースは２枚の板を空気層を介して対向させた二重壁を有することを特徴とする請求項１に記載の飲料抽出装置。
【請求項５】
飲料抽出装置本体と、
該飲料抽出装置本体から抽出される飲料の出口の下方に設けられた前記請求項１乃至４のいずれかに記載の容器収納ケースとを備え、
飲料抽出装置本体に送風手段を設け、
前記容器収納ケースに、飲料抽出装置本体から抽出される飲料が通過して容器内に落下する開口部と、前記送風手段からの送風を前記容器収納ケース内に流入する流入口と、前記容器収納ケースから送風を流出する流出口とを形成したことを特徴とする飲料抽出装置。
【請求項６】
前記容器収納ケースの内壁に送風を容器の外周に沿って流動させる整流板を設けたことを特徴とする請求項５に記載の飲料抽出装置。
【請求項７】
前記容器収納ケースは２枚の板を空気層を介して対向させた二重壁を有することを特徴とする請求項５に記載の飲料抽出装置。
【発明の詳細な説明】
【０００１】
【発明の属する技術分野】
本発明は、把手付きの容器を収納する容器収納ケースに関する。また、本発明は、前記容器収納ケースを備えたコーヒーや紅茶等の抽出を行う飲料抽出装置に関する。
【０００２】
【従来の技術】
コーヒーメーカー等の飲料抽出装置には、抽出された飲料を受ける把手付きの容器が設けられている。この容器は、デカンタと呼ばれ、飲料抽出装置の保温プレートの上に載置されて保温される。しかし、デカンタの外面からの放熱により温度が低下しないように、デカンタ内の抽出飲料には保温プレートから容器底壁を介して熱が供給されるが、煮詰まり等が発生しやすく、風味が失われやすい。そこで、特開平５−７０４２２号公報では、保温プレート上に載置したデカンタを透明な保温カバーで囲繞して放熱を防ぎ、消費電力の低減を図ったものが提案されている。
【０００３】
【発明が解決しようとする課題】
しかしながら、このような保温カバーは、デカンタを出し入れする毎に取り外さなければならないので、非常に煩雑であるという問題がある。
【０００４】
本発明は前記従来の問題点に鑑みてなされたもので、把手付きの容器の出し入れが容易な容器収納ケース、および該容器収納ケースを備えた飲料抽出装置を提供することを課題とするものである。
【０００５】
【課題を解決するための手段】
前記課題を解決するために、本発明の容器収納ケースは、回動軸の回りに回動可能に設けられて開口部を開閉する扉を有し、把手付き容器を収納する容器収納ケースにおいて、
前記扉の回動軸の近傍に、当該扉が閉鎖されているときに容器収納ケースの内側に突出し、当該扉が開放されているときに容器収納ケースの開口部を閉じる内扉を延設し、
前記扉に前記容器の把手が外側に突出する切欠きを設けたものである。
【０００６】
この容器収納ケースによれば、把手付き容器を容器収納ケースから取り出すときは、容器収納ケースの切欠きから外側に突出する把手をもってそのまま引き寄せればよい。これにより、容器の外面が扉の内面を押圧するので、容器を引寄せるにつれて、扉が開放され、容器を取り出すことができる。容器を取り出した状態では、容器収納ケースの開口部は内扉によって閉じられる。次に、把手付き容器を容器収納ケースに収納するときは、把手をもってそのまま内扉に押し付ければよい。これにより、容器を押し付けるにつれて、扉が閉鎖され、容器を容器収納ケースに収容することができる。
【０００７】
前記内扉は、棒状または板状とすることができる。内扉を棒状とした場合は、構成が簡単で、重量も軽くなる。板状とした場合は、扉が開放されたときに板状の内扉で容器収納ケースの内外を遮断することができる。また、前記容器収納ケースは２枚の板を空気層を介して対向させた二重壁を有することが好ましい。このようにすることで、側壁からの放熱を抑制することができる。
【０００８】
また、本発明の飲料抽出装置は、飲料抽出装置本体と、該飲料抽出装置本体から抽出される飲料の出口の下方に設けられた前記容器収納ケースとを備え、飲料抽出装置本体に送風手段を設け、前記容器収納ケースに、飲料抽出装置本体から抽出される飲料が通過して容器内に落下する開口部と、前記送風手段からの送風を前記容器収納ケース内に流入する流入口と、前記容器収納ケースから送風を流出する流出口とを形成したものである。
【０００９】
この飲料抽出装置によれば、前述したように、容器の把手をもって容器を引き出すだけで容器収納ケースから取り出すことができ、容器を内扉に押し付けるだけで容器を容器収納ケースに収納することができる。また、送風手段からの送風は流入口から容器収納ケース内に流入し、容器の周囲を流動して容器内の飲料を加熱し、流出口から流出する。これにより、容器内の飲料は適度に保温または保冷される。
【００１０】
前記容器収納ケースの内壁に温風を容器の外周に沿って流動させる整流板を設けることが好ましい。このようにすることで、温風の流れが円滑になり、容器を効率よく保温または保冷することができる。
【００１１】
前記容器収納ケースは２枚の板を空気層を介して対向させた二重壁を有することが好ましい。このようにすることで、側壁からの放熱をさらに抑制することができる。
【００１２】
【発明の実施の形態】
以下、本発明の実施の形態を添付図面に従って説明する。
【００１３】
図１，図２は本発明にかかる容器収納ケース１を示す。この容器収納ケース１は、コーヒーや紅茶、水等を収容した把手２ａ付きの容器２を収納して、保温または保冷するものである。
【００１４】
容器収納ケース１は、前側に容器２の出入口となる開口部３を有する略矩形の箱で、前記容器２の後側と左右側を囲む後側壁４，左側壁５，右側壁６の３つの側壁と、前記容器２の底面を受ける底壁７と、前記容器２の上方を覆う上壁８とによって形成されている。各壁４−８は、透明な合成樹脂製の２枚の板を空気層９を介して対向させた二重壁からなり、当該空気層９により容器収納ケース１の内部と外部を断熱している。
【００１５】
前記容器収納ケース１の開口部３は、図２に示すように、回動軸１０の回りに回動可能に設けられた左右一対の扉１１ａ，１１ｂによって観音開き式に開閉可能になっている。この左右一対の扉１１ａ，１１ｂは、合わせ部から両側に向かって湾曲した形状になっている。また、前記左右一対の扉１１ａ，１１ｂの合わせ部には、前記容器２の把手２ａを外側に露出させるための切欠き１２が形成されている。
【００１６】
前記扉１１ａ，１１ｂの回動軸１０の近傍には、図３，図４に示すように、当該扉１１ａ，１１ｂが閉鎖されているときに容器収納ケース１の内側に突出して左右の側壁５，６に平行になり、当該扉１１ａ，１１ｂが開放されているときに容器収納ケース１の開口部３を閉じる内扉１３が延設されている。
【００１７】
前記構成からなる容器収納ケース１に把手２ａ付きの容器１を収納するために、まず最初に扉１１ａ，１１ｂを開いておく。このとき、容器収納ケース１の開口部３は内扉１３によって閉じられる。この状態で、容器２の把手２ａを持って容器２の外面を容器収納ケース１の内扉１３に押し付けて内部に押し込むと、容器２を押し込むにつれて左右一対の扉１１ａ，１１ｂが回動して閉鎖される。容器２の把手２ａは扉１１ａ，１１ｂの切欠き１２から外側に突出した状態となる。
【００１８】
次に、容器２を容器収納ケース１から取り出すには、容器収納ケース１の切欠き１２から外側に突出する把手２ａをもってそのまま引き寄せる。これにより、容器２の外面が扉１１ａ，１１ｂの内面を押圧するので、容器２を引寄せるにつれて、扉１１ａ，１１ｂが回動して開放され、容器２を取り出すことができる。容器２を取り出した状態では、容器収納ケース１の開口部３は内扉１３によって閉じられる。したがって、この内扉１３によって内部の保温または保冷状態の空気が漏出するのが抑制される。
【００１９】
容器２を取り出したとき扉１１ａ，１１ｂは開放されたままになっているので、容器２を容器収納ケース１に収納するときは、把手２ａをもってそのまま内扉１３に押し付ければよい。このように、手で直接扉１１ａ，１１ｂを開閉する動作が不要となり、容器収納ケース１に対して片手で容器２を迅速に出し入れすることができる。
【００２０】
なお、前記容器収納ケース１の実施形態は、扉１１ａ，１１ｂを左右一対設けて観音開き式に開閉するようにしたが、図５に示す扉１１のように、片開き式に開閉するようにしてもよい。また、扉１１ａ，１１ｂを上下に開閉するようにしてもよいが、この場合、容器２を取り出したときに上側の扉１１ａが自重で閉まるのを防止するために、上側の扉１１ａはスプリング等で開き方向に付勢して置く必要がある。
【００２１】
また、前記容器収納ケース１の実施形態は、内扉１３を板状にしたが、回動軸１０の近傍から当該回動軸１０に直角に延びる棒状に形成してもよい。要するに、容器２の出し入れ時に容器２の外周面が当接する形状であれば如何なる形状でも可能である。内扉を棒状とした場合は、構成が簡単で、重量も軽くなる。
【００２２】
図６は、本発明にかかるコーヒー抽出装置１００を示す。このコーヒー抽出装置１００の本体１０１は、該本体１０１の下部前面から前方に突出するベース部１０２と、前記本体１の上部前面から前方に突出するノーズ部１０３とを有している。
【００２３】
本体１０１の上部には、上方が開口する給水タンク１０４が設けられ、該給水タンク１０４は蓋部材１０５によって閉鎖されている。給水タンク１０４の下方には、湯沸かしヒータ１０６を備えた湯沸かしタンク１０７が設置されている。前記給水タンク１０４の底には、給水パイプ１０８の上端が接続され、該給水パイプ１０８は前記湯沸かしタンク１０７の蓋板１０９を貫通して内部の底近傍まで挿入され、給水タンク１０４内の水を湯沸かしタンク１０７内に供給するようになっている。湯沸かしタンク１０７の蓋板１０９には、吐出パイプ１１０が貫通して取り付けられ、該吐出パイプ１１０の一端は湯沸かしタンク１０７内の水面に浸漬され、他端はノーズ部１０３に向かって延び、下方に開口して、湯沸かしタンク１０７内のお湯を後述するバケット１１１にサイホン作用によって吐出するようになっている。また、蓋板１０９には蒸気パイプ１０９ａが設けられ、湯沸かし時の自然吐出を防止している。
【００２４】
ノーズ部１０３の下方には、コーヒー粉を収容するバケット１１１が着脱可能に取り付けられている。また、ノーズ部１０３の上面には、湯沸かしヒータ１０６をオン，オフする沸騰入／切スイッチ１１２ａと、後述するファン１２７と温風ヒータ１２８をオン，オフする保温入／切スイッチ１１２ｂと、空焚きを示す赤色のＬＥＤランプ１１３ａと、湯沸かし中を示す赤色のＬＥＤランプ１１３ｂと、適温を示す緑色のＬＥＤランプ１１３ｃと、抽出中を示す赤色のＬＥＤランプ１１３ｄと、保温中を示す黄色のＬＥＤランプ１１３ｅとが設けられている。
【００２５】
前記バケット１１１の下方でかつベース部１０２の上には、把手１１４ａを有するガラス製の容器であるデカンタ１１４が収納される保温容器収納ケース２００が設けられている。この保温容器収納ケース２００の構造は、後で詳細に説明する。
【００２６】
本体１の下部には、図８に示すように、仕切板１２５によって平面Ｕ字形に形成された循環室１２６が形成されている。この循環室１２６には、前記保温容器収納ケース２００に空気を供給して循環させるファン１２７と、該ファン１２７により供給する空気を加熱する温風ヒータ１２８とが配設されている。温風ヒータ１２８は供給される空気の流れ方向に沿った複数の放熱フィン１２９を有している。放熱フィン１２９には、当該放熱フィン１２９に沿って流れる空気の温度を検出する温度センサ１３０が取り付けられている。ノーズ部１０３の内部には、前記湯沸かしヒータ１０６をオン，オフして湯沸かしタンク１０７内の水の湯沸かしと保温を行い、ファン１２７を駆動制御し、前記温度センサ１３０の検出温度に基づいて温風ヒータ１２８をオン，オフ制御する制御ユニット１３１が設けられている。
【００２７】
保温容器収納ケース２００は、外容器収納ケース２０１と、内容器収納ケース２０２と、左右一対の扉２０３ａ，２０３ｂと、トレイ２０４とからなる透明の合成樹脂製の容器収納ケースである。
【００２８】
外容器収納ケース２０１は、前側に開口部２０５ａを有する略矩形の箱で、上壁２０６ａには前方に向かって開口するＵ字形の開口部２０７ａ、後壁２０８ａには矩形の開口部２０９ａ、底壁２１０ａには円形の開口部２１１ａがそれぞれ形成され、底壁２１０ａの開口部２１１ａの縁には周４等配の切欠き２１２が形成されている。外容器収納ケース２０１の開口部２０５ａの４つの角部には、突片２１３が両側壁２１４ａ，２１５ｂから延びるように形成されている。
【００２９】
内容器収納ケース２０２は、前側に開口部２０５ｂを有する略矩形の箱で、前記外容器収納ケース２０１より全体形状がやや小さく形成されている。内容器収納ケース２０２の上壁２０６ｂには前記外容器収納ケース２０１の開口部２０５ａと同一形状のＵ字形の開口部２０７ｂ、後壁２０８ｂには前記外容器収納ケース１の開口部２０９ａと同一形状の矩形の開口部２０９ｂ、底壁２１０ｂには前記外容器収納ケース１の開口部２１１ａより大きい円形の開口部２１１ｂがそれぞれ形成されている。内容器収納ケース２０２の両側壁２１４ｂ，２１５ｂの前端、上壁２０６ｂの前端、上壁２０６ｂの開口部２０７ｂの周縁、底壁２１０ｂの前端、後壁２０８ｂの開口部２０９ｂの縁にはそれぞれ、外容器収納ケース１の対応する部分との間の隙間を閉じるための端板２１６が突設されている。内容器収納ケース２０２の開口部２０５の４つの角部には、側方に向かって開口するＵ字形のヒンジ受け部２１７が形成されている。
【００３０】
左右一対の扉２０３ａ，２０３ｂは、前方に膨らんだ形状を有し、その合わせ目には矩形の切欠き２１８が形成されている。合わせ目の反対側の縁の上下端には回動軸２１９が突設されている。この上下の回動軸２１９を結ぶ線の近傍から後方、すなわち、前記外容器収納ケース２０１と内容器収納ケース２０２の側壁に沿って矩形の内扉２２０が形成されている。内扉２２０の内面には略三角形の整流板２２１が突設されている。整流板２２１の縁はこの保温容器収納ケース２００に収容されるデカンタ１１４の外周面に沿うように形成されている。
【００３１】
トレイ２０４は、図に示すように、灰皿状のもので、外周面は前記外容器収納ケース２０１の底壁２１０ａの開口部２１１ａに嵌入する径を有している。また、外周面には、前記外容器収納ケース２０１の底壁２１０ａの開口部２１１ａの切欠き２１２に嵌入するリブ２２２が突設されている。鍔部２２３の裏面には前記内容器収納ケース２０２の底壁２１０ｂの開口部２１１ｂに嵌入する段部２２４が形成されている。トレイ２０４の内部には中央に隆起部２２５と、内周面には1対の摘み片２２６が突設されている。
【００３２】
外容器収納ケース２０１と内容器収納ケース２０２の上壁２０６ａ，２０６ｂの開口部２０７ａ，２０７ｂで形成される開口部２０７は、前記デカンタ１１４の上方を覆い前記バケット１１１から抽出される飲料を前記デカンタ１１４に落下させるためのものである。
【００３３】
また、外容器収納ケース２０１と内容器収納ケース２０２の後側壁２０８ａ，２０８ｂの開口部２０９ａ，２０９ｂで形成される開口部２０９は、図３に示すように、循環室１２６から温風を吹き出す流入口１２１と、前記保温容器収納ケース２００内の温風を吸い込んで循環室１２６に戻す流出口１２２とに連通している。流入口１２１には、水平なルーバー１２３が上下方向に複数段取り付けられている。流入口１２１と流出口１２２にはネット１２４が装着されている。
【００３４】
外容器収納ケース２０１、内容器収納ケース２０２、左右一対の扉２０３ａ，２０３ｂおよびトレイ２０４からなる保温容器収納ケース２００を組み立てるには、まず、左右一対の扉２０３ａ，２０３ｂの回動軸２１９を内容器収納ケース２０２のヒンジ受け部２１７に係合し、この状態で内容器収納ケース２０２を外容器収納ケース２０１に挿入する。このときに内容器収納ケース２０２のヒンジ受け部２１７の開口を外容器収納ケース２０１の突片２１３が覆うので、回動軸２１９はヒンジ受け部２１７と突片２１３に囲まれて、外れることがない。また、内容器収納ケース２０２が外容器収納ケース２０１の中に挿入されることで、外容器収納ケース２０１と内容器収納ケース２０２の間に空気層２２７が形成されるようになっている。次に、トレイ２０４を保温容器収納ケース２００の内側に入れ、外容器収納ケース２０１の底壁２１０ａの開口部２１１ａに嵌入して回動する。これにより、トレイ２０４のリブ２２２が外容器収納ケース２０１の底壁２１０ａの開口部２１１ａの縁に係合して抜け止めされるとともに、内容器収納ケース２０２が外容器収納ケース２０１から外れるのが防止される。
【００３５】
このように組み立てた保温容器収納ケース２００は、本体１０１のベース部１０２に載置して、その底壁より突出するトレイ２０４の底をベース部１０２の凹部１０２ａに嵌入することで、位置決めされ固定される。なお、このトレイ２０４は逆向きに回動させることで簡単に取り外すことができ、デカンタ１１４やバケット１１１から落ちて溜まった残液を廃棄したり、清掃することができる。
【００３６】
次に、前記構成からなるコーヒー抽出装置１００の動作について説明する。
【００３７】
まず、バケット１１１にコーヒー粉を所用量入れてノーズ部１０３の下方に装着するとともに、保温容器収納ケース２００の左右一対の扉２０３ａ，２０３ｂを開いてデカンタ１４を保温容器収納ケース２００内に収納する。このとき、デカンタ１１４の把手１１４ａは左右一対の扉２０３ａ，２０３ｂの開口部２０５から外側に出しておく。そして、給水タンク１０４に水を入れ、給水パイプ１０８を介して湯沸かしタンク１０７を満杯にした後、沸騰入／切スイッチ１１２ａをオンすると、湯沸かしヒータ１０６がオンして湯沸かしタンク１０７内の水が所定温度に加熱される。同時に、保温入／切スイッチ１１２ｂをオンするとファン１２７が駆動され、温風ヒータ１２８がオンする。これにより、循環室１２６に空気の流れが生じ、該空気は温風ヒータ１２８の放熱フィン１２９によって加熱され、温風となって流入口１１７ａから保温容器収納ケース２００に吹き出され、デカンタ１１４を暖める。
【００３８】
次に、再度給水タンク１０４に水を入れると、湯沸かしタンク１０７内のお湯が水と置換され、サイホン作用により吐出パイプ１１０を介してバケット１１１内のコーヒー粉に注がれる。この結果、バケット１１１からコーヒー液が抽出され、デカンタ１１４内に貯溜される。流入口１２１より保温容器収納ケース２００内に吹出される温風は、温風ヒータ１２８の放熱フィン１２９に取り付けられた温度センサ１３０の検出温度に基づいて温風ヒータ１２８をオン，オフすることにより、本実施形態では約８０度に維持される。保温容器収納ケース２００内に入った温風は、図３に示すように、保温容器収納ケース２００の内面とデカンタ１１４の間の隙間を通り、デカンタ１１４の外周面に沿って整流板２２１により均一に流れ、流出口１２２から循環室１２６に入って、ファン１２７に戻り、循環する。この温風によりデカンタ１１４が加熱され、内部に貯溜されたコーヒー液が適切に保温される。
【００３９】
給水タンク１０４から湯沸かしタンク１０７に水が流下し始めると湯沸かしタンク１０７に設けた図示しない温度センサの検出温度が低下するので、この時点で抽出中を示すＬＥＤランプ１１３ｄを点灯し、全てのお湯が水と置換したと予想される所定時間が経過した後、湯沸かしヒータ１０６をオンする。このようにすることで、お湯が全て注出したことを検出するセンサを別途設ける必要がなくなる。
【００４０】
デカンタ１１４を保温容器収納ケース２００から取り出すには、保温容器収納ケース２００の外側に突出している把手１１４ａを持って手前側に引き出せばよい。これにより、左右一対の扉２０３ａ，２０３ｂがデカンタ１１４に押されて開かれるので、デカンタ１１４を保温容器収納ケース２００の外側に出すことができる。また、デカンタ１１４を保温容器収納ケース２００に収容するには、開いた扉２０３ａ，２０３ｂの間からデカンタ１１４を内扉２２０に押し付けるようにして保温容器収納ケース２００内に挿入する。このように、デカンタ１１４を持ったまま保温容器収納ケース２００に簡単に出し入れすることができる。
【００４１】
なお、前記実施形態のコーヒー抽出装置１００において、デカンタ１１４の有無を検出するスイッチまたは、保温容器収納ケース２００の扉２０３ａ，２０３ｂの開放を検出するマイクロスイッチや光スイッチ等のセンサを設けて、デカンタ１１４が保温容器収納ケース２００から取り出されると、これをセンサが検出してファン１２７を停止するようにしてもよい。これにより、温風が保温容器収納ケース２００から漏出するのが防止される。
【００４２】
排水は、湯沸かしタンク１０７の底に図示しないチューブを接続して該チューブを本体１０１のベース部１０２の底まで導き、ここに弁を設けて、該弁を開くことで、湯沸かしタンク１０７内の不要なお湯を排出するようにしている。
【００４３】
さらに、本発明は、前記実施形態のコーヒー抽出装置１００のようにコーヒーを保温するものに限らず、水やジュース等の冷水を注出して保冷する装置にも適用することができる。
【００４４】
【発明の効果】
以上の説明から明らかなように、本発明にかかる容器収納ケースによれば、容器の把手をもって容器を引き出すだけで容器収納ケースから取り出すことができ、容器を内扉に押し付けるだけで容器を容器収納ケースに収納することができ、出し入れが容易になる。
【００４５】
また、本発明にかかる飲料抽出装置によれば、飲料を抽出した容器の出し入れが容易になるだけでなく、送風手段からの温風または冷風が容器の回りを流動することにより、容器内の飲料を均一に加熱して適度に保温または保冷することができる。
【図面の簡単な説明】
【図１】  本発明にかかる容器収納ケースの実施形態を示す断面図。
【図２】  図１の容器収納ケースの正面図。
【図３】  図１の容器収納ケースの扉を閉じた状態を示す水平断面図。
【図４】  図１の容器収納ケースの扉を開いた状態を示す水平断面図。
【図５】  本発明にかかる容器収納ケースの他の実施形態を示す断面図。
【図６】  本発明にかかるコーヒー抽出装置の断面図。
【図７】  図６のコーヒー抽出装置の正面図。
【図８】  図６のコーヒー抽出装置のＶＩＩＩ−ＶＩＩＩ線水平断面図。
【図９】  図６のコーヒー抽出装置におけるデカンタの保温状況を示す断面図。
【図１０】  図６のコーヒー抽出装置の保温容器収納ケースの分解斜視図。
【図１１】  図１０の保温容器収納ケースのヒンジ部の拡大斜視図。
【図１２】  図１０の保温容器収納ケースの固定構造を示す拡大断面図。
【図１３】  図６のコーヒー抽出装置の保温容器収納ケースの扉を閉じた状態を示す水平断面図。
【図１４】  図６のコーヒー抽出装置の保温容器収納ケースの扉を開いた状態を示す水平断面図。
【符号の説明】
１  容器収納ケース
２  容器
２ａ  把手
３  開口部
１０  回動軸
１１ａ，１１ｂ  扉
１２  切欠き
１３  内扉
１００  コーヒー抽出装置
１０１  本体
１２７  ファン（送風手段）
２００  保温容器収納ケース（容器収納ケース）
２０３ａ，２０３ｂ  扉
２０７  開口部
２０９  開口部（流入口，流出口）
２１８  切欠き
２１９  回動軸
２２０  内扉
２２１  整流板
【図１】
0003759897.tif 000002
【図２】
0003759897.tif 000003
【図３】
0003759897.tif 000004
【図４】
0003759897.tif 000005
【図５】
0003759897.tif 000006
【図６】
0003759897.tif 000007
【図７】
0003759897.tif 000008
【図８】
0003759897.tif 000009
【図９】
0003759897.tif 000010
【図１０】
0003759897.tif 000011
【図１１】
0003759897.tif 000012
【図１２】
0003759897.tif 000013
【図１３】
0003759897.tif 000014
【図１４】
0003759897.tif 000015